(57)【要約】【課題】  自己診断機能を備えたエアコンのメンテナンス性の向上を図る。【解決手段】  リモコンスイッチは、通常モードとサービスモードの切換えが可能であり、おしえてボタンが操作されたときにサービスモードであると、自己診断結果に基づいたエラーコードの出力を要求する（ステップ２００、２０２、２１０）。室内ユニットのマイコンは、自己診断機能を備えており、おしえてボタンの操作に応じた信号を受信したときに、サービスモードに設定されていると、自己診断結果に基づいたエラーコードを送信する（ステップ２２０、２２２、２２６）。リモコンスイッチは、このエラーコードを受信すると、受信したエラーコードを示す画像を表示し（ステップ２１２、２１４）、自己診断結果の確認を容易とする。【選択図】        図７
2005233538.tif 000002
【特許請求の範囲】
【請求項１】
リモコンスイッチの操作に応じて、冷凍サイクルによって被空調室内を空調可能とすると共に、部品ないし機能の自己診断を行う空気調和機であって、
無線通信によって前記リモコンスイッチと双方向通信可能とする通信手段と、
前記通信手段を介して前記自己診断結果の出力が要求されたときに自己診断結果を送信する通信制御手段と、
前記リモコンスイッチに設けられて前記通信手段から送信された前記自己診断結果に応じた画像を表示する表示手段と、
を含むことを特徴とする空気調和機。
【請求項２】
前記リモコンスイッチが、
スイッチ操作に応じた信号を送信する送信部と、
前記通信手段から送信された信号を受信する受信部と、
所定のスイッチ操作によって前記送信部から前記自己診断結果の出力を要求する信号を送信すると共に、前記受信部で受信した自己診断結果に基づいた画像をエラーコードとして前記表示手段に表示するリモコン制御部と、
を含むことを特徴とする請求項１に記載の空気調和機。
【請求項３】
前記リモコンスイッチに、スイッチ操作に応じて空調運転の運転／停止及び空調条件を設定する信号を送信する通常モードとスイッチ操作によって前記自己診断結果の出力を要求するサービスモードを切換える切換え手段を含むことを特徴とする請求項２に記載の空気調和機。
【発明の詳細な説明】
【技術分野】
【０００１】
本発明は、冷凍サイクルを用いて被空調室内の空気調和を図る空気調和機に関する。
【背景技術】
【０００２】
被空調室内の空気調和を図る空気調和機（以下、エアコンとする）では、例えば、被空調室内に設置する室内ユニットの熱交換器と、屋外に設置する室外ユニットのコンプレッサーの間に、冷媒を循環する冷凍サイクルが形成されている。室内ユニットでは、被空調室内の空気を吸引し、熱交換器を通して吸引した空気を被空調室内へ吹出す。この空気が熱交換器を通るときに、冷凍サイクルを循環される冷媒との間で熱交換が行われることにより温調されて、被空調室内へ吹出される。
【０００３】
また、このようなエアコンでは、リモコンスイッチの操作によって運転／停止や各種の設定が行われ、このリモコンスイッチの操作に応じた運転を行うようになっている。また、リモコンスイッチとしては、赤外線等を用いて操作状態を送信するワイヤレス方式が一般的となっている。
【０００４】
一方、エアコンでは、室内ユニットとの間で双方向通信が可能なリモコンスイッチが使用されることがある。このようなリモコンスイッチと室内ユニットの間では、例えば室外ユニットで検出している外気温度を、室内ユニットに取り込んで、室内ユニットから外気温度等をリモコンスイッチに送信して、リモコンスイッチ上に表示する提案がなされている（例えば、特許文献１参照。）。
【０００５】
また、リモコンスイッチと室内ユニットとの間で双方向通信が可能であることにより、例えば、室内ユニットで消費電力等を積算して、積算結果をリモコンスイッチへ送信して表示するエアコンの提案もなされている（例えば、特許文献２参照。）。
【０００６】
ところで、エアコンには、室内ユニットに設けているマイクロコンピュータ（マイコン）によって、各種のセンサやコンプレッサ等が適正に作動しているか否かを自己診断すると共に診断結果を記憶して、メンテナンス等を行うときに、サービスマンが、室内ユニット上で所定のスイッチ操作を行ったり、また、所定の冶具を接続するなどして、記憶されている自己診断結果を表示するようにしたものがある。
【０００７】
これにより故障個所の的確に判断できるので、効率的なメンテナンスが可能となっている。
【０００８】
しかしながら、エアコンには、天井埋め込み型などの隠蔽タイプのハウジングエアコンがあり、このようなエアコンでは、自己診断結果を容易に確認することができないという問題がある。また、室内ユニットを壁面に取り付ける壁掛けタイプのエアコンであっても、室内ユニットが比較的高い位置に取付けられていたり、家具等のために室内ユニットの周りに必要な作業スペースを確保できないこともある。
【０００９】
また、故障個所が室外ユニットであっても、先ず、室内ユニットに対して作業を行わなければならず、必ずしも効率的なメンテナンス性を確保し得るものではなかった。
【特許文献１】特開２００３−１４８７９１号公報
【特許文献２】特許第３４５４１９５号公報
【発明の開示】
【発明が解決しようとする課題】
【００１０】
本発明は上記事実に鑑みてなされたものであり、メンテナンス時のより効率的な作業性を確保することができる空気調和機を提案することを目的とする。
【課題を解決するための手段】
【００１１】
上記目的を達成するために本発明は、リモコンスイッチの操作に応じて、冷凍サイクルによって被空調室内を空調可能とすると共に、部品ないし機能の自己診断を行う空気調和機であって、無線通信によって前記リモコンスイッチと双方向通信可能とする通信手段と、前記通信手段を介して前記自己診断結果の出力が要求されたときに自己診断結果を送信する通信制御手段と、前記リモコンスイッチに設けられて前記通信手段から送信された前記自己診断結果に応じた画像を表示する表示手段と、を含むことを特徴とする。
【００１２】
この発明によれば、リモコンスイッチの操作によって設定された運転条件に基づいて空調運転を行うことにより被空調室内を空調する。また、自己診断機能を備えており、構成部品の故障の有無や、機能の故障の有無を検出して記憶する。
【００１３】
また、通信手段によってリモコンスイッチとの間で双方向通信が可能となっており、リモコンスイッチから、自己診断結果が要求されると、通信手段によって自己診断結果を出力する。
【００１４】
リモコンスイッチは、自己診断結果を受信すると、受信内容に応じた画像を表示手段に表示する。
【００１５】
これにより、室内ユニット等に触れることなく、自己診断結果をリモコンスイッチ上の表示で的確に判断することができるので、メンテナンス等を行うときの作業性を向上させることができる。
【００１６】
このような本発明に適用されるリモコンスイッチは、スイッチ操作に応じた信号を送信する送信部と、前記通信手段から送信された信号を受信する受信部と、所定のスイッチ操作によって前記送信部から前記自己診断結果の出力を要求する信号を送信すると共に、前記受信部で受信した自己診断結果に基づいた画像をエラーコードとして前記表示手段に表示するリモコン制御部と、を含むものであれば良い。
【００１７】
また、本発明に適用されるリモコンスイッチとしては、前記リモコンスイッチに、スイッチ操作に応じて空調運転の運転／停止及び空調条件を設定する信号を送信する通常モードとスイッチ操作によって前記自己診断結果の出力を要求するサービスモードを切換える切換え手段を含むことが好ましい。
【００１８】
この切換え手段としては、リモコンスイッチに専用の切換えスイッチを設けても良く、また、予め設定した複数のキーの同時操作などによって切り換わるものであっても良く、これにより、不必要にサービスモードに切り換わってしまうのを確実に防止することができる。
【発明の効果】
【００１９】
以上説明したように本発明によれば、運転操作を行うリモコンスイッチを用いて、自己診断結果を容易に表示することができるので、メンテナンス時の作業性を格段に向上させることができるという優れた効果が得られる。
【発明を実施するための最良の形態】
【００２０】
以下に、図面を参照しながら本発明の実施の一形態を説明する。図１には、本実施の形態に適用した空気調和機（以下、「エアコン１０」とする）を示している。このエアコン１０は、被空調室内に設置される室内ユニット１２と、屋外に設置される室外ユニット１４と、によって構成されている。
【００２１】
なお、本発明が適用される空気調和機としては、太陽エネルギーによって発電した電力を所定の電圧の電力に変換して出力する太陽光発電装置を接続したものであっても良い。このときには、太陽光発電装置の作動を室外ユニット１４に設けるマイコンによって制御して、発電電力を室外ユニット１４又は室内ユニット１２と室外ユニット１４に供給し、この電力を用いて空調運転等を行うものであっても良い。
【００２２】
図２に示すように、室内ユニット１２と室外ユニット１４の間は、太管の冷媒配管１６Ａと、細管の冷媒配管１６Ｂとによって接続されている。また、室内ユニット１２には、熱交換器１８が設けられており、冷媒配管１６Ａ、１６Ｂのそれぞれが熱交換器１８に接続されている。
【００２３】
室外ユニット１４には、バルブ２０Ａ、２０Ｂが設けられ、冷媒配管１６Ａがバルブ２０Ａに接続し、冷媒配管１６Ｂがバルブ２０Ｂに接続している。バルブ２０Ａには、マフラ２２Ａを介して四方弁２４が接続している。
【００２４】
また、室外ユニット１４には、コンプレッサー２６、熱交換器２８が設けられており、コンプレッサー２６に接続しているアキュムレータ３０及びマフラー２２Ｂのそれぞれが、四方弁２４に接続していると共に、熱交換器２８の一端が四方弁２４に接続している。
【００２５】
さらに、熱交換器２８の他端は、キャピラリチューブ３２、ストレーナ３４、電動膨張弁３６及びモジュレータ３８を介してバルブ２０Ｂに接続している。
【００２６】
これにより、エアコン１０では、室内ユニット１２と室外ユニット１４の間に、冷媒を循環する冷凍サイクルが形成されている。なお、この冷凍サイクルは一例を示すものであり、空気調和機の構成を限定するものではない。
【００２７】
エアコン１０では、四方弁２４の切換えによって暖房モードでの運転又はドライモード（除湿モード）を含む冷房モードでの運転が可能となっている。なお、図２では、矢印で冷房モード、暖房モードでの冷媒の流れを示している。
【００２８】
図１に示すように、室内ユニット１２には、ケーシング１２Ａの上部及び前面側に吸引口４２が設けられ、ケーシング１２Ａの下部に吹出し口４４が設けられている。室内ユニット１２には、ケーシング１２Ａの内部にクロスフローファンが設けられており、このクロスフローファンが作動することにより、被空調室内の空気を吸引口４２から吸引する。吸引された空気は、熱交換器１８を通って被空調室内に吹出される。このとき、熱交換器１８を通過する空気と、冷凍サイクルによって熱交換器１８を循環される冷媒との間で熱交換が行われることにより、被空調室内に温調した空気が吹出され、被空調室内が空調される。
【００２９】
なお、このようなエアコン１０としては、室内ユニット１２に換気ユニットを設け、換気ユニットによって被空調室内の空気の排出や、新鮮な外気の被空調室への導入などを行うものであっても良く、以下では、自動モード、冷房モード、除湿モード、冷房モードなどの空調運転と共に、換気ユニットを用いた換気モード、吸気モード、排気モードなどの換気運転及び、空清フィルタやＵＶ殺菌ユニットを用いて空気中に浮遊する各種の微粒子を除去する空清モードでの空清運転が可能であるものとして説明する。このとき、換気運転や空清運転は、従来公知の任意の構成を用いることができ、以下では、詳細な説明を省略する。
【００３０】
図３には、室内ユニット１２に設けられている制御部６０の概略構成を示している。制御部６０には、電源基板６２、パワーリレー基板６４と共にコントロール基板６６が設けられている。電源基板６２は、モータ電源６８、制御回路電源７０及びシリアル電源７２を備えており、エアコン１０を運転するための電力がそれぞれに供給される。
【００３１】
また、電源基板６２には、駆動回路７４が設けられており、この駆動回路７４に、前記したクロスフローファンを作動するファンモータ４０が接続している。
【００３２】
コントロール基板６６には、シリアル回路７６、駆動回路７８と共に、エアコン１０の作動を制御するマイクロコンピュータ（マイコン８０）が設けられており、制御回路電源７０からコントロール基板６６に作動用の電力が供給される。
【００３３】
コントロール基板６６に設けているマイコン８０は、クロスフローファンを駆動するファンモータ４０の制御信号を、電源基板６２の駆動回路７４へ出力する。これにより、駆動回路７４は、マイコン８０から入力される制御信号に基づいて、モータ電源６８から供給される電力をファンモータ４０へ供給して駆動する。このとき、マイコン８０は、駆動回路７４からの出力電圧を、例えば１２Ｖ〜３６Ｖの間で変化させるように制御して、室内ユニット１２の吹出し口４４から吹出す空調風の風量を制御している。
【００３４】
コントロール基板６６の駆動回路７８には、パワーリレー基板６４が接続している。パワーリレー基板６４には、パワーリレー８２及び温度ヒューズ等が設けられており、駆動回路７８は、マイコン８０からの信号に基づいてパワーリレー８２を操作する。これにより、室内ユニット１２から室外ユニット１４へ電力を供給する接点８２Ａが開閉される。
【００３５】
エアコン１０では、このパワーリレー８２の接点８２Ａが閉じられることにより室外ユニット１４へ電力が供給され、室外ユニット１４が作動可能となる。
【００３６】
室内ユニット１２には、吹出し口４４に上下フラップ左右フラップが設けられており、この上下フラップ及び左右フラップによって空調風の吹出し方向を制御可能となっており、駆動回路７８には、上下フラップ及び左右フラップを駆動するフラップモータ８４Ａ、８４Ｂが接続している。駆動回路７８は、マイコン８０からの制御信号に基づいてフラップモータ８４Ａ、８４Ｂを駆動する。
【００３７】
エアコン１０では、このフラップモータ８４Ａ、８４Ｂの駆動によって所望（任意）の方向へ向けて空調風を吹出すことができるようになっている。すなわち、マイコン８０は、ファンモータ４０と共にフラップモータ８４Ａ、８４Ｂの駆動を制御することにより、空調風の風量と共に吹出し方向を制御して、被空調室内を所望の空調状態とするようになっている。
【００３８】
また、駆動回路７８には、換気ファンを駆動するファンモータ４６が接続されており、マイコン８０は、このファンモータ４６の駆動を制御することにより、被空調室内の吸気及び換気を行う。すなわち、マイコン８０は、換気モード、吸気モード又は排気モードでの運転が指示されることにより、ファンモータ４６を駆動する。
【００３９】
シリアル回路７６は、電源基板６２のシリアル電源７２に接続し、シリアル電源７２と共に室外ユニット１４に接続されるようになっている。マイコン８０は、このシリアル回路７６を介して、室外ユニット１４に設けている図示しないマイコンとシリアル通信を行うことにより、室外ユニット１４の作動を制御する。
【００４０】
このときに、マイコン８０は、エアコン１０の運転モード（暖房モードと除湿モード又は冷房モード）に基づいて、四方弁２４の切換えを制御すると共に、必要な空調能力に基づいてコンプレッサー２６の運転周波数の制御等を行う。
【００４１】
また、マイコン８０は、シリアル通信によって室外ユニット１４のマイコンから各種の情報を受信するようになっている。
【００４２】
一方、室内ユニット１２には、表示基板８６が設けられている。この表示基板８６には、表示ＬＥＤ８８と共に送受信回路９０が設けられており、この表示基板８６がマイコン８０に接続している。
【００４３】
エアコン１０は、リモコンスイッチ５０（図１参照）の操作によって運転／停止と共に各種の運転条件の設定が可能となっている。送受信回路９０は、リモコンスイッチ５０との間で、例えば赤外線等を用いた無線（ワイヤレス）方式で通信を行う。このとき、送受信回路９０では、リモコンスイッチ５０から送信される操作信号を受信してマイコン８０へ出力する。
【００４４】
これにより、エアコン１０では、リモコンスイッチ５０の操作に応じた空調運転の制御が可能となっている。このとき、マイコン８０は、エアコン１０の運転状態に応じて表示ＬＥＤ８８を点灯するようになっており、この表示ＬＥＤ８８の点灯状態からエアコン１０の運転／停止、運転モード等が明示される。
【００４５】
また、リモコンスイッチ５０に室温センサが設けられているときには、この室温センサによって検出される室温がリモコンスイッチ５０から送信されると、マイコン８０は、この室温に基づいた空調運転の制御を行うようになっている。
【００４６】
また、マイコン８０は、送受信回路９０を用いて、リモコンスイッチ５０に各種の情報を送信可能となっている。
【００４７】
なお、室内ユニット１２には、室内ユニット１２の動作状態を検出する各種のセンサが設けられており、これらのセンサがコントロール基板６６のマイコン８０に接続しており、マイコン８０は、これらのセンサの検出結果に基づいて、空調能力の制御を行うようになっている。
【００４８】
このようなコントロール基板６６には、運転切換えスイッチ９６及びサービスＬＥＤ９８が設けられている。運転切換えスイッチ９６は、通常運転とメンテナンス等を行うときの試験運転との切換え用であると共に、運転切換えスイッチ９６の操作によって電源スイッチ９６Ａの接点開閉が行われる。
【００４９】
すなわち、運転切換えスイッチ９６では、「通常運転」、「試験運転」又は、電源スイッチ９６Ａの接点を開いて室内ユニット１２への電力の供給を遮断する「停止」に切換え可能となっており、エアコン１０は、「通常運転」位置となった状態で運転される。
【００５０】
なお、サービスＬＥＤ９８は、メンテナンス等を行うときにサービスマンが点灯操作を行うことにより、マイコン８０が自己診断結果に応じて点灯、点灯状態の制御を行うようになっており、これにより、エアコン１０の故障や故障履歴等の確認が容易となるようにしている。
【００５１】
図４には、送受信回路９０（図３参照）を用いてマイコン８０との間で双方向で送受信が可能となるリモコンスイッチ１００の概略構成を示している。
【００５２】
このリモコンスイッチ５０には、リモコンスイッチ５０自体の作動を制御するリモコン制御部５２と共に、操作部５４、表示部５６と共に送信部５８Ａ及び受信部５８Ｂが設けられている。リモコン制御部５２では、操作部５４に設けられた各種のキー操作（ボタン操作）が行われることにより、操作状態に応じた情報を、表示部５６に表示すると共に送信部５８Ａから送信する。
【００５３】
また、リモコン制御部５２は、受信部５８Ｂを介して所定の情報を受信すると、表示部５６に受信した情報に基づいた表示を行う。なお、リモコンスイッチ１００には、時刻を計測するタイマー５９Ａと共に温度センサ５９Ｂが設けられており、リモコン制御部５２は、温度センサ５９Ｂによって検出した温度を、被空調室内の室温として、所定のタイミングで室内ユニット１２へ送信する。
【００５４】
一方、図５（Ａ）及び図５（Ｂ）には、エアコン１０に設けられるリモコンスイッチ５０の一例を示している。なお、図５（Ａ）に示すように、リモコンスイッチ５０には、操作カバー１０２が設けられており、図５（Ｂ）は操作カバー１０２を開いた状態を示している。
【００５５】
リモコンスイッチ５０には、表示部５６を形成する液晶ディスプレイ（以下、ディスプレイ１０４とする）が設けられており、このディスプレイ１０４に室温、運転モード等の各種の表示がなされる。また、ディスプレイ１０４の下部の表示エリア１０６には、リモコンスイッチ５０の操作に応じた各種の表示がなされる。
【００５６】
なお、図５（Ｂ）は、ディスプレイ１０４上の主なアイコンを表示した状態を示し、図５（Ａ）には、自動モードで冷房運転に設定された状態と室温を示している。また、図５（Ａ）及び図５（Ｂ）の何れも、表示エリア１０６は非表示状態としている。
【００５７】
図５（Ａ）及び図５（Ｂ）に示すように、リモコンスイッチ５０には、操作部５４を形成する操作ボタン（操作キー）として、運転／停止ボタン１０８が設けられており、この運転／停止ボタン１０８の操作によってエアコン１０の運転／停止の指示が可能となっている。
【００５８】
また、リモコンスイッチ５０には、換気ボタン１１０及び除湿ボタン１１２が設けられており、換気ボタン１１０が操作されることにより、換気モードでの運転を設定することができ、除湿ボタン１１２を操作することにより、除湿モードの設定及び運転が可能となっている。なお、除湿モードには、例えば「標準除湿」、「強力除湿」、「ソフト除湿」及び「ランドリー」の設定が可能となっており、除湿ボタン１１２を押下することにより、除湿モードが順に切り換わる。
【００５９】
図５（Ａ）に示すように、リモコンスイッチ５０には、操作カバー１０２に、簡易タイマーボタン１１４、ＵＶ空清ボタン１１６、おしえてボタン１１８及び温度設定を行うときのアップボタン１２０Ａとダウンボタン１２０Ｂが設けられており、操作カバー１０２を閉じた状態でこれらの操作が可能となる。
【００６０】
リモコンスイッチ５０では、アップボタン１２０Ａないしダウンボタン１２０Ｂが操作されることにより、ディスプレイ１０４の表示エリア１０６に、アップボタン１２０Ａないしダウンボタン１２０Ｂの操作に応じた設定温度の表示がなされる。このとき、アップボタン１２０Ａを操作することにより、設定温度が上げられ、ダウンボタン１２０Ｂを操作することにより設定温度が下げられる。なお、自動モードでは、予め設定されている標準温度に対するアップ設定又はダウン設定が表示される。
【００６１】
簡易タイマーボタン１１４は、エアコン１０の運転時間を「１時間」、「２時間」、「３時間」又は「５時間」に選択して設定することができる。また、ＵＶ空清ボタン１１６の操作によって空清モードでの運転を設定することができる。なお、空清モードでは、コンプレッサー２６を停止し、クロスフローファンのファンモータ４０を低回転（例えば６００rpm程度）で駆動しながら、吹出し口４４を開いて、空清フィルタを通過した空気を微風で吹出すようにしている。
【００６２】
リモコンスイッチ５０は、おしえてボタン１１８が操作されることにより、室内ユニット１２のマイコン８０（図３参照）に、被空調室内の空調状態の出力を要求する。室内ユニット１２のマイコン８０は、各種のセンサを用いて被空調室内の空調状態を検出しており、要求に応じて空調状態を送受信回路９０から送信する。
【００６３】
また、リモコンスイッチ５０は、室内ユニット１２から送信された空調状態の情報を受信すると、受信内容をディスプレイ１０４の表示エリア１０６に表示する。これにより、リモコンスイッチ５０上で、被空調室内の空調状態を的確に、かつ簡単に確認できるようにしている。
【００６４】
一方、図５（Ｂ）に示すように、リモコンスイッチ５０には、操作カバー１０２内に、運転モードの切換えを行う運転切換えボタン１２８、換気モードの切換えを行う換気切換えボタン１３０、風量の切換えを行う風量ボタン１３２、吹出し風の風向を上下方向に切換える風向ボタン１３４及び吹出し風の風向を左右方向に切換える風向ボタン１３６が設けられている。
【００６５】
エアコン１０では、運転切換えボタン１２８が操作されることにより、運転モードを、自動モード、冷房モード、暖房モード、空清モード、除湿モードに切換え、換気切換えボタン１３０が操作されることにより、換気モードを、換気モード、吸気モード及び排気モードの間で切換える。なお、選択されたモードは、リモコンスイッチ５０のディスプレイ１０４（表示エリア１０６）に表示される。
【００６６】
リモコンスイッチ５０では、風量ボタン１３２の操作によって吹出し風の風量を自動又は複数段階の何れかに設定可能となっており、風向ボタン１３４の操作によって上下方向の風向を自動、スイング又は上下方向に沿って複数段階に設定された何れかに設定可能となり、風向ボタン１３６の操作によって左右方向の風向を自動、スイング又は左右方向に沿って複数段階に設定された何れかに設定可能となっている。
【００６７】
エアコン１０では、これらの各種ボタンの操作によって被空調室内が所望の空調状態となるように設定することができる。なお、風量ボタン１３２、風向ボタン１３４，１３６の操作したときに、風量、風向がディスプレイ１０４の表示エリア１０６に表示される。
【００６８】
また、エアコン１０は、タイマー運転機能を備えており、リモコンスイッチ５０には、現在時刻の設定に用いる時計ボタン１３８と共に、入りタイマーボタン１４０、切りタイマーボタン１４２が設けられている。なお、時計ボタン１３８によって設定された現在時刻は、ディスプレイ１０２の表示エリア１０６に表示される。また、リモコンスイッチ５０には、タイマー設定を取り消す取消しボタン１４４及び、１回のみの設定か毎日の設定かを選択する毎日ボタン１４６が設けられている。
【００６９】
入りタイマーボタン１４０は、エアコン１０の空調運転開始時刻を設定し、切りタイマーボタン１４２は、エアコン１０の運転停止時刻を設定する。リモコン５０では、設定時刻をディスプレイ１０４の表示エリア１０６に表示する。また、入りタイマーボタン１４０及び切りタイマーボタン１４２は、設定時刻のアップキー及びダウンキーの機能を備えており、これにより、設定時刻を予め設定された間隔（例えば１０分刻み）であれば、任意の時刻に設定可能となるようにしている。
【００７０】
ところで、エアコン１０では、室内ユニット１２に設けているマイコン８０が、自己診断機能を備えており、室内ユニット１２に設けている各種の部品等に故障が生じているか否かを検出可能となっており、室外ユニット１４に設けている図示しないマイコンによって、室外ユニット１４に設けている部品等に故障が生じているか否かの自己診断が可能となっている。
【００７１】
また、室内ユニット１２に設けているマイコン８０は、シリアル通信によって室外ユニット１４での自己診断結果を読み込んで、故障又は故障履歴として記憶するようになっている。なお、自己診断機能及び記憶機能は、従来公知の構成を適用でき、本実施の形態では、詳細な説明を省略する。
【００７２】
これにより、室内ユニット１２のケーシング１２Ａの所定部位を開いてスイッチ操作が行われたときに、室内ユニット１２に設けているマイコン８０は、記憶している故障履歴や故障個所に応じてサービスＬＥＤを点灯ないし点滅させるようになっている。
【００７３】
一方、図６に示すように、リモコンスイッチ５０には、裏面側に電池ボックスカバー１５０が設けられており、この電池ボックスカバー１５０をスライドさせて開くことにより、リモコンスイッチ５０の動作用電源となる乾電池１５２を収容した電池ボックス１５４が開放される。
【００７４】
これにより、リモコンスイッチ５０では、消耗した乾電池１５２の交換が可能となっている。
【００７５】
また、リモコンスイッチ５０には、電池ボックス１５４の上方側（図６の紙面上方側）にセンサスイッチ１５６と共にサービススイッチ１５８が設けられている。センサスイッチ１５６は、空調運転を行うときの室温の検出を、リモコンスイッチ５０の温度センサ５９Ｂ（図４参照）を用いて行うか、室内ユニット１２に設けている温度センサを行うかの切り替えが可能となっている。すなわち、センサスイッチ１５６によってリモコンスイッチ５０から室温を送信するか否かの設定が可能となっている。
【００７６】
また、リモコンスイッチ５０では、サービススイッチ１５８が操作されることにより、リモコンスイッチ５０をエアコン１０の通常運転操作に用いるか、メンテナンス用に用いるかの切り替えが設定される。
【００７７】
すなわち、図４に示すように、サービススイッチ１５８は、リモコン制御部５２に接続しており、リモコンスイッチ５０は、サービススイッチ１５８が操作されることにより、サービスモードに設定され、室内ユニット１２へ送信する信号に、サービスモードに設定されていることを示す信号を付加する。
【００７８】
室内ユニット１２のマイコン８０は、この信号によってリモコンスイッチ５０がサービスモードとなっていることを認識できるようになっている。
【００７９】
また、マイコン８０は、サービスモードに設定されたリモコンスイッチ５０で、おしえてボタン１１８が操作された信号を受信すると、自己診断結果を、予め設定されたコードでリモコンスイッチ５０へ出力する。
【００８０】
リモコンスイッチ５０では、おしえてボタン１１８が操作されることにより、室内ユニット１２から送信される信号を受信するように待機する。このとき、室内ユニット１２から自己診断結果を受信すると、受信した自己診断結果を、予め設定しているコードで、ディスプレイ１０４の表示エリア１０６に表示する。
【００８１】
これにより、エアコン１０では、室内ユニット１２に触れて室内ユニット１２に対する作業を行うことなく、リモコンスイッチ５０のディスプレイ１０４（表示エリア１０６）上に、自己診断結果を表示できるようにしている。
【００８２】
このように構成されているエアコン１０では、リモコンスイッチ５０が操作されることにより、空調運転の運転／停止が行われる。また、空調運転を行うときや空調運転中に、風向、風量等の運転条件や、設定温度等の設定条件（空調条件）が変更されたときには、変更された運転条件、設定条件などに基づいて空調運転を行う。
【００８３】
エアコン１０では、自動モード、冷房モード、除湿モード又は暖房モードなどが設定されることにより、コンプレッサー２６を駆動して、被空調室内の空調運転を行う。また、エアコン１０では、空清モードや吸気モード、排気モードなどの換気モードが設定されると、設定された換気モードでの運転を開始する。
【００８４】
このとき、エアコン１０では、冷媒を用いた空調運転と換気モードの運転が併せて設定されることにより併用運転を行うようになっている。
【００８５】
ところで、エアコン１０では、室内ユニット１２に設けているマイコン８０とリモコンスイッチ５０の間で、双方向通信が可能となっており、リモコンスイッチ５０には、この双方向通信を用いるおしえてボタン１１８が設けられており、このおしえてボタン１１８を操作することにより、被空調室内の空調状態を確認することができる。
【００８６】
すなわち、リモコンスイッチ５０では、おしえてボタン１１８が操作されると、室内ユニット１２のマイコン８０に空調状態の情報出力を要求する。
【００８７】
エアコン１０のマイコン８０は、各種のセンサによって被空調室内の湿度等を検出している。また、換気運転機能を備えているときには、二酸化炭素（ＣＯ2）濃度の検出が可能となっている。また、エアコン１０の室外ユニット１４では、室外ユニット１４が設置されている屋外の温度（外気温度）を検出しており、この外気温度が、シリアル通信によって室内ユニット１２のマイコン８０に入力される。
【００８８】
ここで、リモコンスイッチ５０のおしえてボタン１１８が操作されると、室内ユニット１２のマイコン８０は、空調状態の情報である外気温度、湿度、二酸化炭素濃度等の運転情報を送信する。リモコンスイッチ５０では、室内ユニット１２から送信された運転情報を受信すると、その運転情報をディスプレイ１０４上の表示エリア１０６に表示する。
【００８９】
一方、リモコンスイッチ５０には、エアコン１０の運転操作を行う通常モードに加えて、エアコン１０のメンテナンス時に用いるサービスモードが設定されている。リモコンスイッチ５０には、裏側の電池ボックスカバー１５０を開くことにより、サービススイッチ１５８が現れるようになっており、このサービススイッチ１５８を入れると、リモコンスイッチ５０がサービスモードに切り換わる。
【００９０】
リモコンスイッチ５０は、サービスモードに切り換わることにより、送信信号にサービスモードを示す信号を付加する。
【００９１】
室内ユニット１２のマイコン８０は、リモコンスイッチ５０の送信信号にサービスモードを示す信号が付加されることにより、サービスモードに切り換わっていることを認識するようになっている。なお、この付加信号は、任意の構成の信号を用いることができる。
【００９２】
マイコン８０は、おしえてボタン１１８が操作されることにより送信される信号にサービスモードであることを示す信号が付加されていると、自己診断結果に基づいたエラーコードをリモコンスイッチ５０に送信する。
【００９３】
リモコンスイッチ５０は、エラーコードを受信すると、受信したエラーコードに応じた画像をディスプレイ１０４の表示エリア１０６に表示する。
【００９４】
すなわち、エアコン１０に設けているマイコン８０は、部品の故障や異常等を検出する自己診断を行うようになっており、故障や異常等を検出すると、エラーコードとして記憶し、リモコンスイッチ５０からの要求に応じて送信するようになっている。
【００９５】
なお、エアコン１０では、室内ユニット１２に設けている室温センサ、熱交換器１８の温度を検出するコイル温度センサ、湿度センサ、ＯＴＰ、ＤＣモータ等の故障や異常を検出する。また、エアコン１０では、室外ユニット１２に設けているコンプレッサー２６の温度等を検出するコンプレッサーセンサ、熱交換器２８の温度を検出するコイルセンサ、外気センサ、電流センサ、サクションセンサ、ＦＥＴセンサ、ＨＩＣセンサ等の異常や故障を自己診断する。
【００９６】
マイコン８０では、これらの自己診断結果を記憶し、自己診断結果の出力要求があったときに、検出している異常や故障に応じて設定されているエラーコードを送信するようにしている。
【００９７】
ここで、図７（Ａ）及び図７（Ｂ）を参照しながら、リモコンスイッチ５０とマイコン８０の間の双方向通信を説明する。なお、図７（Ａ）では、リモコンスイッチ５０のリモコン制御部５２での処理の流れを示し、図７（Ｂ）では室内ユニット１２のマイコン８０での処理の流れを示している。また、おしえてボタン１１８は、エアコン１０が運転中にのみ有効となる。すなわち、エアコン１０では、運転を停止するとマイコン８０が待機状態となり省電力化を図り、何れかの運転状態となることにより、運転情報等の送信が可能となる。
【００９８】
図７（Ａ）のフローチャートでは、最初のステップ２００で、おしえてボタン１１８が操作されたか否かを確認し、おしえてボタン１１８が操作されると、ステップ２００で肯定判定して、おしえてボタン１１８の操作に基づいた処理を開始する。
【００９９】
このとき、先ず、ステップ２０２では、サービスモードに設定されているか否かを確認し、通常モードであるときには、ステップ２０２で否定判定してステップ２０４へ移行し、運転情報を要求する信号を送信する。
【０１００】
この後に、ステップ２０６では、要求に対する情報を受信したか否かを確認し、受信すると、ステップ２０６で肯定判定してステップ２０８へ移行し、受信した運転情報を、ディスプレイ１０４の表示エリア１０６に表示する。
【０１０１】
また、サービススイッチ１５８が操作されてサービスモードに切換えられているときには、ステップ２０２で肯定判定してステップ２１０へ移行し、エラーコード、すなわち、自己診断結果の送信を要求する。
【０１０２】
この後、ステップ２１２では、エラーコードを受信したか否かを確認し、エラーコードを受信すると、ステップ２１２で肯定判定してステップ２１４へ移行し、受信したエラーコードを、ディスプレイ１０４の表示エリア１０６に表示するようにしている。
【０１０３】
一方、図７（Ｂ）に示すように、マイコン８０は、最初のステップ２２０でおしえてボタン１１８の操作に基づいてリモコンスイッチ５０から送信された信号を受信したか否かを確認し、肯定判定することによりステップ２２２へ移行する。このステップ２２２では、リモコンスイッチ５０がサービスモードに設定されているか否かを確認する。すなわち、受信した信号にサービスモードを示す信号が付加されているか否かを確認する。
【０１０４】
ここで、リモコンスイッチ５０がサービスモードに設定されていないときには、ステップ２２２で否定判定してステップ２２４へ移行し、運転情報を送信する。
【０１０５】
これに対して、リモコンスイッチ５０がサービスモードに設定されているときには、ステップ２２２で肯定判定してステップ２２６へ移行し、記憶している自己診断結果に基づいてエラーコードを送信する。
【０１０６】
これにより、リモコンスイッチ５０がサービスモードに設定されているときには、リモコンスイッチ５０のディスプレイ１０４（表示エリア１０６）にエラーコードが表示される。
【０１０７】
図８には、おしえてボタン１１８が操作されたときに、リモコンスイッチ５０のディスプレイ１０４に設けている表示エリア１０６の表示の変化の一例を示している。なお、図８では、図７（Ａ）のステップ番号を併記している。
【０１０８】
図８では、一例として暖房モードで運転中の表示エリア１０６の表示を示しており、エアコン１０に用いているリモコン５０は、通常、運転モードと現在時刻を示す画像１６０を表示エリア１０６に表示している。
【０１０９】
ここで、おしえてボタン１１８が操作されると、表示エリア１０６の表示は、先ず、受信を開始したことを示す画像１６２を表示し、この後に、画像１６４、１６６、１６８と順に所定の時間間隔で切換えることにより、動画調の表示となるようにしている。すなわち、図７（Ａ）のフローチャートでステップ２０６又はステップ２１２へ移行することにより、画像１６２〜１６８が順に表示される。
【０１１０】
この後、例えば画像１６８の表示が終了するなどして、所定時間経過してもマイコン８０から送信される信号を受信できないとき（図７のステップ２０６又はステップ２１２で否定判定）には、画像１７０を表示して、通常表示画像である画像１６０を表示に戻る。
【０１１１】
これに対して、画像１６２〜１６８の表示中に、マイコン８０から送信された信号（情報）を受信したとき（図７のステップ２０６又はステップ２１２で肯定判定）には、受信した情報に応じた表示を行う。
【０１１２】
ここで、リモコンスイッチ５０がサービスモードに設定されておらず、通常モードであるときには、マイコン８０から送信される運転情報として、例えば、外気温度を示す画像１７２と、被空調室内の湿度を示す画像１７４等を所定時間（例えば約３秒）ずつ表示する（図７のステップ２０８）。
【０１１３】
なお、エアコン１０に換気機能を備えているときには、換気機能の運転状態を引き続き表示しても良く、また、被空調室内の二酸化炭素濃度を検出しているときには、検出している二酸化炭素濃度に応じた表示を引き続き行うようにしても良い。
【０１１４】
これに対して、リモコンスイッチ５０がサービスモードに設定され、画像１７６〜１６８を表示中（所定時間以内）に、マイコン８０から自己診断結果に基づいたエラーコードを受信すると、このエラーコードに応じた画像をディスプレイ１０４の表示エリア１０６に表示する。
【０１１５】
図９には、エラーコード表示の一例として表示エリア１０６に表示する画像１７６を示している。この画像１７６では、エラーコードであることを示す文字列と共に、エラーコードを予め設定している２桁の１６進数で示しており、複数の異常があるときには、該当するエラーコードを順に所定時間（例えば数秒）ずつ表示する。
【０１１６】
このように、エアコン１０で自己診断を行っているときに、自己診断結果をリモコンスイッチ５０のディスプレイ１０４上に表示可能とすることにより、エアコン１０の室内ユニット１２に触れることなく、異常個所があれば、その異常個所を的確に認識することができる。
【０１１７】
したがって、メンテナンス等に必要な個所を的確に特定し、該当個所に対する作業を円滑に行うことができるので、メンテナンス性を格段に向上させることができる。
【０１１８】
すなわち、本実施の形態では、室内ユニット１２を被空調室の壁面に取付ける壁掛けタイプのエアコン１０を例に説明しているが、壁掛けタイプであっても、室内ユニット１２に触れることなく、マイコン８０の自己診断結果を読み出すことができる。これにより、例えば、室外ユニット１４に異常などが生じたときには、室内ユニット１２に対する作業を行わずに、室外ユニット１４に対する作業を開始することができる。
【０１１９】
また、エアコンには、天井裏や壁面に隠蔽して室内ユニットを取付けるハウジングタイプがあり、このようなエアコンでは、室内ユニットから自己診断結果をサービスＬＥＤ９８等に生じさせるまでの作業が容易ではなく、それだけの作業でも時間と労力を要する。
【０１２０】
これに対して、本発明では、リモコンスイッチ５０等を用いることにより簡単にエアコンの自己診断結果を読み出し、かつ、自己診断結果の確認を行うことができる。
【０１２１】
また、エアコン１０の運転操作を行うためのリモコンスイッチ５０を用いるので、メンテナンスを行うために、予め専用の読み出し冶具を準備しておく必要がなく、メンテナンス時の作業性は勿論、準備作業も簡略化することができる。
【０１２２】
なお、以上説明した本実施の形態では、リモコンスイッチ５０の電池ボックスカバー１５０によって隠蔽するように通常モードとサービスモードを切換えるサービススイッチ１５８を設けたが、サービススイッチ１５８の設ける位置はこれに限るものではなく、例えば、電池ボックス１５４内に、乾電池１５２によって隠蔽するように設けるなど、簡単に操作されてしまうことのない任意の位置に設けたものであれば良い。
【０１２３】
また、本実施の形態では、サービスモードへの切換え専用のサービススイッチ１５８を設けて説明したが、これに限らず、例えば、操作部１５４を形成する複数のボタンから予め設定した任意の２個以上のボタン（例えば「風向ボタン１３４と風向ボタン１３６」、「風量ボタン１３２と風向ボタン１３４，１３６」など、エアコン１０の通常運転時には同時に操作されることのボタンの組み合わせ等）を同時操作することにより、通常モードからサービスモードに切換えられるようにしても良く、これにより、通常は操作されることのないスイッチを特別に設ける必要がなくなる。
【０１２４】
また、本実施の形態では、エアコン１０を例に説明したが、本発明は、自己診断機能を備え、リモコンスイッチによって運転操作される任意の構成の空気調和機に適用することができる。
【０１２５】
また、本発明が適用される空気調和機としては、太陽光発電装置が接続されたものであって良いのは勿論、冷凍サイクルによって冷房、除湿等を行い、温水を用いて暖房を行う所謂温水エアコンであっても良い。
【図面の簡単な説明】
【０１２６】
【図１】本実施の形態に適用したエアコンの概略構成を示す要部斜視図である。
【図２】エアコンの冷凍サイクルを示す概略構成図である。
【図３】室内ユニットの制御部の概略構成を示すブロック図である。
【図４】リモコンスイッチの概略構成を示すブロック図である。
【図５】（Ａ）及び（Ｂ）はリモコンスイッチの一例を示す概略図であり、（Ａ）は操作カバーを閉じた状態を示し、（Ｂ）は操作カバーを開いた状態を示している。
【図６】リモコンスイッチの裏面側の要部を示す概略図である。
【図７】（Ａ）はリモコンスイッチでの処理の一例を示す流れ図、（Ｂ）は（Ａ）の処理に対する室内ユニットのマイコンでの処理の一例を示す流れ図である。
【図８】おしえてボタンの操作に伴う表示画像の変化の一例を示す概略図である。
【図９】リモコンスイッチでのエラーコードの表示例を示す概略図である。
【符号の説明】
【０１２７】
１０    エアコン（空気調和機）
１２    室内ユニット
１４    室外ユニット
１８    熱交換器
２６    コンプレッサー
５０    リモコンスイッチ
５２    リモコン制御手段
５４    操作部（操作手段）
５６    表示部（表示手段）
５８Ａ    送信部
５８Ｂ    受信部
６０    制御部
８０    マイコン（通信制御手段、自己診断手段）
９０    送受信回路（通信手段）
１０４    ディスプレイ（表示手段）
１０６    表示エリア（表示手段）
１１８    おしえてボタン
１５８    サービススイッチ（切換え手段）
【図１】
2005233538.tif 000003
【図２】
2005233538.tif 000004
【図３】
2005233538.tif 000005
【図４】
2005233538.tif 000006
【図５】
2005233538.tif 000007
【図６】
2005233538.tif 000008
【図７】
2005233538.tif 000009
【図８】
2005233538.tif 000010
【図９】
2005233538.tif 000011